(57)【要約】【課題】複数のアンテナの中から受信感度の最も高いものを選択して複数台のテレビ受信機にアンテナ信号を出力することのできる車両用テレビの受信システムを提供する。【解決手段】アンテナ２の中から所望のアンテナを選択して切り替えるアンテナ切替部８と、選択されたアンテナのアンテナ信号を受信状態にあるテレビ受信機の台数に応じて増幅する利得可変アンプ４と、受信状態にあるテレビ受信機にアンテナ信号を分配する分配部５と、受信状態にあるテレビ受信機のうちの一台を受信感度検出用のテレビ受信機として設定し、この受信感度検出用のテレビ受信機の制御部と通信してビデオ信号を送信するように制御するダイバーシティ制御部７とを備えたことを特徴とする。【選択図】      図１
2006140714.tif 000002
【特許請求の範囲】
【請求項１】
複数のアンテナのうち受信感度の高いアンテナを選択し、選択されたアンテナのアンテナ信号を出力する受信制御装置と、前記受信制御装置より出力されたアンテナ信号を受信してテレビ画像を表示する複数のテレビ受信機と、を備えた車両用テレビの受信システムにおいて、
前記受信制御装置は、
前記複数のアンテナのうちの一つを受信アンテナとして設定するアンテナ切替手段と、
前記各テレビ受信機の中で受信状態にあるもののうち、受信感度検出用として設定された一つのテレビ受信機で受信された受信信号に基づき、前記アンテナ切替手段にて受信アンテナを変更することにより、最も受信感度の高いアンテナを決定し、この最も受信感度の高いアンテナが受信アンテナとなるように切り替えるためのアンテナ切替信号を前記アンテナ切替手段に出力するダイバーシティ制御手段と、
前記アンテナ切替手段で、受信アンテナとして設定されたアンテナにて受信されたアンテナ信号を増幅する増幅手段と、
前記増幅手段で増幅されたアンテナ信号を、受信状態にあるテレビ受信機に分配する分配手段と、を備え、
前記各テレビ受信機は、受信状態にある場合には、受信状態であることを示す信号を前記受信制御装置に出力すると共に、各テレビ受信機のうち、前記受信感度検出用として設定されたテレビ受信機は、受信感度を示す信号を前記受信制御装置に出力することを特徴とする車両用テレビの受信システム。
【請求項２】
前記各テレビ受信機は、アンテナ信号を受信してビデオ信号を生成するチューナを有し、
前記受信感度検出用として設定されたテレビ受信機が出力する受信感度を示す信号は、前記チューナより出力されるビデオ信号であり、
前記ダイバーシティ制御手段は、前記ビデオ信号を受信し、このビデオ信号の電界強度に基づいて、最も受信感度の高いアンテナを決定することを特徴とする請求項１に記載の車両用テレビの受信システム。
【請求項３】
前記ダイバーシティ制御手段は、前記受信感度検出用のテレビ受信機として設定されていないテレビ受信機に対して、前記ビデオ信号の送信を停止するように制御することを特徴とする請求項２に記載の車両用テレビの受信システム。
【請求項４】
前記ダイバーシティ制御手段は、前記各テレビ受信機のうち、受信状態とされているテレビ受信機の台数に基づいて、前記増幅手段の増幅率を変更することを特徴とする請求項１〜請求項３のいずれか１項に記載の車両用テレビの受信システム。
【請求項５】
前記ダイバーシティ制御手段は、前記受信感度検出用として設定されているテレビ受信機がオフとされた際には、他の受信状態にあるテレビ受信機を受信感度検出用として設定することを特徴とする請求項１〜請求項４のいずれか１項に記載の車両用テレビの受信システム。
【請求項６】
複数のアンテナのうち受信感度の高いアンテナを選択し、選択されたアンテナのアンテナ信号を出力する受信制御装置と、前記受信制御装置より出力されたアンテナ信号を受信してテレビ画像を表示する複数のテレビ受信機と、を備えた車両用テレビの受信システムにおいて、
前記テレビ受信機は、前記アンテナ信号を受信してビデオ信号を生成するチューナと、
該受信機が受信状態である場合に、受信状態であることを示す信号を出力すると共に、前記チューナより出力されるビデオ信号の電界強度に基づいて、前記各アンテナのうち最も受信感度が高くなるアンテナを決定するアンテナ決定信号を生成して出力するダイバーシティ制御手段と、を有し、
前記受信制御装置は、
前記複数のアンテナのうちの一つを受信アンテナとして設定するアンテナ切替手段と、
前記ダイバーシティ制御手段より出力されるアンテナ決定信号に基づいて、最も高い受信感度となるアンテナを選択するためのアンテナ切替信号を前記アンテナ切替手段に出力する受信信号制御手段と、
前記アンテナ切替手段で、受信アンテナとして設定されたアンテナにて受信されたアンテナ信号を増幅する増幅手段と、
前記増幅手段で増幅されたアンテナ信号を、受信状態にあるテレビ受信機に分配する分配手段と、
を備え、
前記ダイバーシティ制御手段は、前記アンテナ切替手段で切り替えられた各アンテナよりのアンテナ信号に基づいて、最も受信感度の高いアンテナを決定することを特徴とする車両用テレビの受信システム。
【請求項７】
前記受信信号制御手段は、前記受信感度検出用のテレビ受信機として設定されていないテレビ受信機に対して、前記アンテナ決定信号の送信を停止するように制御することを特徴とする請求項６に記載の車両用テレビの受信システム。
【請求項８】
前記受信信号制御手段は、前記各テレビ受信機のうち、受信状態とされているテレビ受信機の台数に基づいて、前記増幅手段の増幅率を変更することを特徴とする請求項６または請求項７のいずれかに記載の車両用テレビの受信システム。
【請求項９】
前記受信信号制御手段は、前記受信感度検出用として設定されているテレビ受信機がオフとされた際には、他の受信状態にあるテレビ受信機を受信感度検出用として設定することを特徴とする請求項６〜請求項８のいずれか１項に記載の車両用テレビの受信システム。
【発明の詳細な説明】
【技術分野】
【０００１】
本発明は、複数のアンテナで受信したアンテナ信号の中から受信感度の高いものを選択して複数台のテレビ受信機に出力する車両用テレビの受信システムに関する。
【背景技術】
【０００２】
従来、車両用のテレビ受信機では、受信状況を向上させるために車両の周辺に指向性の異なる複数のアンテナを設置し、これらのアンテナの中から受信感度の最も高いアンテナを選択してアンテナ信号を受信するダイバーシティ受信方式が用いられていた。
【０００３】
ここで、このような従来のダイバーシティ受信方式を利用した車両用のテレビ受信システムを図５に基づいて説明する。図５に示すように、従来のテレビ受信システム１００は、４本のアンテナ１０１ａ〜１０１ｄと、高周波増幅（以下、ＲＦ増幅という）を行うＲＦ増幅器１０２と、ＲＦ増幅器１０２からのアンテナ出力により画像を表示するテレビ受信機１０３とから構成され、ＲＦ増幅器１０２はダイバーシティ切替部１０４と、アンプ１０５とを備えている。
【０００４】
また、テレビ受信機１０３は、テレビチューナ１０６とディスプレイ１０７とアンテナの切り替えを制御するダイバーシティ制御部１０８とを備えている。
【０００５】
ここで、ダイバーシティ制御部１０８は、テレビチューナ１０６から受信状態を示すビデオ信号、例えば中間周波増幅信号やノイズレベル信号などを受信し、このビデオ信号に基づいて、アンテナ切替用の同期を取るための信号をダイバーシティ切替部１０４へ送信する。
【０００６】
そして、このように構成されたテレビ受信システム１００において、アンテナ１０１ａ〜１０１ｄで受信したアンテナ信号はダイバーシティ切替部１０４に入力され、最も受信感度の高いアンテナの選択が行われる。ここで選択されたアンテナのアンテナ信号は、アンプ１０５でＲＦ増幅されてアンテナ出力としてテレビ受信機１０３に出力される。テレビ受信機１０３ではテレビチューナ１０６がアンテナ出力を復調してディスプレイ１０７に画像が表示される。
【０００７】
次に、ダイバーシティ制御部１０８をダイバーシティ回路内に設けた場合のテレビ受信システムの従来例を図６に示す。図６に示すように、テレビ受信システム１１０では、ダイバーシティ制御部１０８がダイバーシティ回路１１１に設置されており、テレビチューナ１０６からのビデオ信号を受けて、アンテナ切替用の同期を取るための信号をダイバーシティ切替部１０４に出力している。
【０００８】
このように従来のテレビ受信システムでは、各テレビ受信機が最も受信感度の高いアンテナに順次切り替えを行うようにして受信状況を向上させていた。
【０００９】
ところが、将来的には車両の各座席にテレビ受信機を設置することが想定されており、このような場合にはアンテナ出力を分配する必要がある。
【００１０】
そこで、車両に複数のテレビ受信機を設置する場合のテレビ受信システムの従来例として、例えば特開平１１−８８２４５号公報（特許文献１）が開示されている。
【００１１】
ここで、特許文献１に開示された従来のテレビ受信システムでは、複数のテレビ受信機に対してそれぞれ別のアンテナを割り当ててダイバーシティ受信を行うようにしている。例えば、アンテナが４本、テレビ受信機が２台の場合には、最も受信感度の高いアンテナによるアンテナ信号が一方のテレビ受信機に割り当てられ、２番目に受信感度の高いアンテナによるアンテナ信号が他方のテレビ受信機に割り当てられるようにされていた。
【特許文献１】特開平１１−８８２４５号公報
【発明の開示】
【発明が解決しようとする課題】
【００１２】
しかしながら、上述した特許文献１に開示された従来例では、別のアンテナをそれぞれのテレビ受信機に割り当てるようにしていたので、受信感度が最も高いアンテナからの信号を受信できるのはどちらか一方のテレビ受信機のみとなる可能性があり、他方のテレビ受信機では最良のアンテナからの信号を受信することができないという問題点があった。
【００１３】
また、一般的にダイバーシティアンテナの数が４本に限られているために、各テレビ受信機にアンテナを割り当てるようにしていると、接続できるテレビ受信機の数も４台に限られてしまうという問題点もあった。
【００１４】
更に、テレビ受信機を増設するためには分配器やアンテナの切替スイッチの増設が必要となり、システムを拡張するためにはコストが増加してしまうという問題点があった。
【００１５】
また、単純にすべてのアンテナとすべてのテレビ受信機とを接続してダイバーシティ受信を行った場合には、ＲＦケーブルの数が非常に多くなってしまうので問題であり（テレビ受信機×アンテナ本数）、また最も受信感度の高いアンテナの受信信号を各テレビ受信機に分配して供給するようにしたとしても、アンテナの受信信号のレベルが低いので（テレビ受信機１台分程度のレベルなので）、複数のテレビ受信機に分配することができないという問題点があった。
【００１６】
この発明は、このような従来の課題を解決するためになされたものであり、その目的とするところは、すべてのテレビ受信機が最も受信感度の高いアンテナからのアンテナ信号を受信することができ、テレビ受信機を増設する場合でもケーブルや切替スイッチなどを増やすことなく簡単でしかも安価にテレビ受信機を増設することのできる車両用テレビの受信システムを提供することにある。
【課題を解決するための手段】
【００１７】
上記目的を達成するために、請求項１に記載の発明は、複数のアンテナのうち受信感度の高いアンテナを選択し、選択されたアンテナのアンテナ信号を出力する受信制御装置と、前記受信制御装置より出力されたアンテナ信号を受信してテレビ画像を表示する複数のテレビ受信機と、を備えた車両用テレビの受信システムにおいて、前記受信制御装置は、前記複数のアンテナのうちの一つを受信アンテナとして設定するアンテナ切替手段と、前記各テレビ受信機の中で受信状態にあるもののうち、受信感度検出用として設定された一つのテレビ受信機で受信された受信信号に基づき、前記アンテナ切替手段にて受信アンテナを変更することにより、最も受信感度の高いアンテナを決定し、この最も受信感度の高いアンテナが受信アンテナとなるように切り替えるためのアンテナ切替信号を前記アンテナ切替手段に出力するダイバーシティ制御手段と、前記アンテナ切替手段で、受信アンテナとして設定されたアンテナにて受信されたアンテナ信号を増幅する増幅手段と、前記増幅手段で増幅されたアンテナ信号を、受信状態にあるテレビ受信機に分配する分配手段と、を備え、前記各テレビ受信機は、受信状態にある場合には、受信状態であることを示す信号を前記受信制御装置に出力すると共に、各テレビ受信機のうち、前記受信感度検出用として設定されたテレビ受信機は、受信感度を示す信号を前記受信制御装置に出力することを特徴とする。
【００１８】
請求項２に記載の発明は、前記各テレビ受信機は、アンテナ信号を受信してビデオ信号を生成するチューナを有し、前記受信感度検出用として設定されたテレビ受信機が出力する受信感度を示す信号は、前記チューナより出力されるビデオ信号であり、前記ダイバーシティ制御手段は、前記ビデオ信号を受信し、このビデオ信号の電界強度に基づいて、最も受信感度の高いアンテナを決定することを特徴とする。
【００１９】
請求項３に記載の発明は、前記ダイバーシティ制御手段は、前記受信感度検出用のテレビ受信機として設定されていないテレビ受信機に対して、前記ビデオ信号の送信を停止するように制御することを特徴とする。
【００２０】
請求項４に記載の発明は、前記ダイバーシティ制御手段は、前記各テレビ受信機のうち、受信状態とされているテレビ受信機の台数に基づいて、前記増幅手段の増幅率を変更することを特徴とする。
【００２１】
請求項５に記載の発明は、前記ダイバーシティ制御手段は、前記受信感度検出用として設定されているテレビ受信機がオフとされた際には、他の受信状態にあるテレビ受信機を受信感度検出用として設定することを特徴とする。
【００２２】
請求項６に記載の発明は、複数のアンテナのうち受信感度の高いアンテナを選択し、選択されたアンテナのアンテナ信号を出力する受信制御装置と、前記受信制御装置より出力されたアンテナ信号を受信してテレビ画像を表示する複数のテレビ受信機と、を備えた車両用テレビの受信システムにおいて、前記テレビ受信機は、前記アンテナ信号を受信してビデオ信号を生成するチューナと、該受信機が受信状態である場合に、受信状態であることを示す信号を出力すると共に、前記チューナより出力されるビデオ信号の電界強度に基づいて、前記各アンテナのうち最も受信感度が高くなるアンテナを決定するアンテナ決定信号を生成して出力するダイバーシティ制御手段と、を有し、前記受信制御装置は、前記複数のアンテナのうちの一つを受信アンテナとして設定するアンテナ切替手段と、前記ダイバーシティ制御手段より出力されるアンテナ決定信号に基づいて、最も高い受信感度となるアンテナを選択するためのアンテナ切替信号を前記アンテナ切替手段に出力する受信信号制御手段と、前記アンテナ切替手段で、受信アンテナとして設定されたアンテナにて受信されたアンテナ信号を増幅する増幅手段と、前記増幅手段で増幅されたアンテナ信号を、受信状態にあるテレビ受信機に分配する分配手段と、を備え、前記ダイバーシティ制御手段は、前記アンテナ切替手段で切り替えられた各アンテナよりのアンテナ信号に基づいて、最も受信感度の高いアンテナを決定することを特徴とする。
【００２３】
請求項７に記載の発明は、前記受信信号制御手段は、前記受信感度検出用のテレビ受信機として設定されていないテレビ受信機に対して、前記アンテナ決定信号の送信を停止するように制御することを特徴とする。
【００２４】
請求項８に記載の発明は、前記受信信号制御手段は、前記各テレビ受信機のうち、受信状態とされているテレビ受信機の台数に基づいて、前記増幅手段の増幅率を変更することを特徴とする。
【００２５】
請求項９に記載の発明は、前記受信信号制御手段は、前記受信感度検出用として設定されているテレビ受信機がオフとされた際には、他の受信状態にあるテレビ受信機を受信感度検出用として設定することを特徴とする。
【発明の効果】
【００２６】
請求項１の発明では、受信感度検出用のテレビ受信機を１つ設定し、この受信感度検出用のテレビ受信機からの受信感度を示す信号に基づいて受信感度の最も高いアンテナを選択し、このアンテナのアンテナ信号を各テレビ受信機に分配するので、すべてのテレビ受信機が最も受信感度の高いアンテナからのアンテナ信号を受信することができ、更にテレビ受信機を増設する場合でも最低限のケーブルで対応でき、切替スイッチなどを増やすことなく簡単でしかも安価にテレビ受信機を増設することができる。
【００２７】
請求項２の発明では、テレビ受信機から出力される受信感度を示す信号として、チューナより出力されるビデオを用い、ダイバーシティ制御手段にてビデオ信号から受信感度を検出し、最も受信感度が高くなるアンテナを決定し、アンテナ切替信号を出力するので、確実に受信感度の高いアンテナを選択することができるようになる。
【００２８】
請求項３の発明では、受信感度検出用として設定されていないテレビ受信機に対しては、ビデオ信号の送信を停止させるので、電力消費を低減することができると共に、周辺機器や周辺ケーブル等への電磁誘導、クロストーク等を防止することができる。
【００２９】
請求項４の発明では、受信状態にあるテレビ受信機の台数に基づいて増幅手段の増幅率を変更する制御を行うので、分配するのに必要な信号レベルを効率よく得ることができる。また、すべてのテレビ受信機がオンであることを想定した増幅率に常時設定する場合と比較して消費電力を低減させることができる。
【００３０】
請求項５の発明では、受信感度検出用のテレビ受信機がオフされたときには、他の受信状態にあるテレビ受信機を受信感度検出用のテレビ受信機として設定するので、受信感度検出用のテレビ受信機がオフされた場合でも、継続してダイバーシティ機能を動作させることができる。
【００３１】
請求項６の発明では、各テレビ受信機がダイバーシティ制御手段を備え、該ダイバーシティ制御手段で決定される受信アンテナ決定信号を通信ラインを介して受信制御装置に出力するので、各テレビ受信機と受信制御装置との間を連結するケーブル数を削減することができ、配索スペースの省スペース化を図ることができる。また、新規にテレビ受信機を増設する際には、連結するケーブルの本数が少ないので、容易な増設が可能となる。
【００３２】
請求項７の発明では、請求項６の発明において、受信感度検出用として設定されていないテレビ受信機に対しては、アンテナ決定信号の送信を停止させるので、電力消費を低減することができると共に、周辺機器や周辺ケーブル等への電磁誘導、クロストーク等を防止することができる。
【００３３】
請求項８の発明では、請求項６，７の発明において、受信状態にあるテレビ受信機の台数に基づいて増幅手段の増幅率を変更する制御を行うので、分配するのに必要な信号レベルを効率よく得ることができる。また、すべてのテレビ受信機がオンであることを想定した増幅率に常時設定する場合と比較して消費電力を低減させることができる。
【００３４】
請求項９の発明では、請求項６〜８の発明において、受信感度検出用のテレビ受信機がオフされたときには、他の受信状態にあるテレビ受信機を受信感度検出用のテレビ受信機として設定するので、受信感度検出用のテレビ受信機がオフされた場合でも、継続してダイバーシティ機能を動作させることができる。
【発明を実施するための最良の形態】
【００３５】
＜第１の実施形態＞
以下、本発明の第１の実施形態を図面に基づいて説明する。図１は本発明に係る車両用テレビの受信システムの構成を示すブロック図である。
【００３６】
図１に示すように、本実施形態の車両用テレビの受信システム１は、車両用テレビの受信状態を制御する受信制御装置１０と、複数のテレビ受信機２０ａ〜２０ｄと、ダイバーシティアンテナを構成する４本のアンテナ２から構成されている。
【００３７】
各テレビ受信機２０ａ〜２０ｄは、アンテナ信号を復調するとともに、ビデオ信号の出力を行うチューナ２１ａ〜２１ｄと、チューナ２１ａ〜２１ｄで復調されたテレビ画像を表示するディスプレイ２２ａ〜２２ｄと、後述する通信制御／ダイバーシティ制御部７との間で通信を行ってチューナ２１ａ〜２１ｄから通信制御／ダイバーシティ制御部７へのビデオ信号の送信を制御し、且つ、テレビ受信機が受信状態であるか否かを示す制御信号を通信ラインに出力する制御部２３ａ〜２３ｄとを備えている。
【００３８】
受信制御装置１０は、アンテナ２の中から所望するアンテナを選択するアンテナ切替部（アンテナ切替手段）８と、このアンテナ切替部８で選択されたアンテナで受信されるアンテナ信号をＲＦ増幅する利得可変アンプ（増幅手段）４と、該利得可変アンプ４で増幅されたアンテナ信号を、受信状態にあるテレビ受信機２０ａ〜２０ｄに分配する分配部（分配手段）５とを備えている。
【００３９】
更に、テレビ受信機２０ａ〜２０ｄと通信を行い、ダイバーシティ受信によるアンテナ２の切り替えを制御する通信制御／ダイバーシティ制御部（ダイバーシティ制御手段）７を備えている。
【００４０】
アンテナ切替部８は、通信制御／ダイバーシティ制御部７より出力されるアンテナ切替信号に基づいて、４本のアンテナ２の中から所望のアンテナを選択し、このアンテナで受信されたアンテナ信号を利得可変アンプ４に出力する。
【００４１】
通信制御／ダイバーシティ制御部７は、各テレビ受信機２０ａ〜２０ｄの制御部２３ａ〜２３ｄと通信ラインを介して連結されており、該通信ラインを介して、４つのテレビ受信機２０ａ〜２０ｄのうち、どのテレビ受信機が現在動作中であるかを示すデータを取得することができる。
【００４２】
そして、各テレビ受信機２０ａ〜２０ｄのうちの現在動作中であるテレビ受信機より与えられるビデオ信号のうち、受信感度検出用として設定したテレビ受信機より出力されたビデオ信号を受信し、受信アンテナを順次変更した際の、この受信したビデオ信号による受信感度に基づき、最も受信感度が高くなるアンテナを検出し、このアンテナによる受信が行われるように、アンテナ切替部８にアンテナ切替信号を出力する。
【００４３】
更に、上記の操作で、受信感度検出用のテレビ受信機として設定されていないテレビ受信機に対しては、チューナよりのビデオ信号の送信を停止するように通知する。つまり、受信感度検出用として設定されていないテレビ受信機よりのビデオ信号の出力を停止させることにより、不要なビデオ信号の出力を抑えることができ、消費電力の低減化を図る。
【００４４】
また、通信制御／ダイバーシティ制御部７は、テレビ受信機２０ａ〜２０ｄとの間の通信により、どのテレビ受信機が動作中であるかを認識することができるので、このデータに基づいて、分配部５に対し、分配制御信号を出力する。
【００４５】
更に、通信を行うことにより、動作中であるテレビ受信機の台数を検知することができるので、これに基づいて利得可変アンプ４における増幅率を決定し、利得制御信号を利得可変アンプ４に出力する。
【００４６】
利得可変アンプ４は、通信制御／ダイバーシティ制御部７からの利得制御信号に基づいて、アンテナ信号の増幅率を変化させてアンテナ信号のＲＦ増幅を行う。ここで、利得制御信号は受信状態にあるテレビ受信機の台数に基づいて決定されているので、受信状態にあるテレビ受信機の台数が多くなれば、増幅率も大きくなる。
【００４７】
分配部５は、通信制御／ダイバーシティ制御部７からの分配制御信号を受信することによって、受信状態にあるテレビ受信機を検知することができ、アンテナ信号を分配するテレビ受信機を決定してアンテナ信号を出力する。
【００４８】
次に、第１の実施形態に係る車両用テレビの受信システム１の動作について説明する。図２は、本実施形態の車両用テレビの受信システム１による受信制御処理を説明するためのシーケンス図である。但し、図２のシーケンス図では、テレビ受信機が３台の場合を例にして説明するが、それ以上であっても同様に処理することができる。
【００４９】
図２に示すように、まず、テレビ受信機２０ａがオフ状態からオン状態（受信状態）にされると、制御部２３ａよりウエイクアップ用の通信信号が出力され、この通信信号は通信ラインを介して受信制御装置１０の通信制御／ダイバーシティ制御部７に送信される（Ｓ２０１）。
【００５０】
そして、この通信信号を受けてスリープ状態とされていた受信制御装置１０はダイバーシティ動作を開始し、通信制御／ダイバーシティ制御部７は通信ラインを介してテレビ受信機２０ａの制御部２３ａに、テレビ受信機２０ａが受信感度検出用として用いることを示す信号を送信する（Ｓ２０２）。
【００５１】
通信制御／ダイバーシティ制御部７は、現在オン状態であるテレビ受信機が２０ａの１台であることを認識し、オン状態のテレビ受信機２０ａ〜２０ｄの台数が１台であることを示す信号を利得可変アンプ４、及び分配部５に出力する。利得可変アンプ４は、現在オン状態であるテレビ受信機２０ａ〜２０ｄの台数が１台であることから、１台分の増幅率に設定してアンテナ切替部８より出力されるアンテナ信号を増幅し、且つ分配部５は利得可変アンプ４で増幅されたアンテナ信号をオン状態であるテレビ受信機２０ａに送信するように出力信号の送信先を設定する。
【００５２】
その後、テレビ受信機２０ａのチューナ２１ａは分配部５よりアンテナ信号が送信されることにより、テレビ画像信号を受信することができ、ディスプレイ２２ａにテレビ画像を表示する。更に、チューナ２１ａは、通信制御／ダイバーシティ制御部７にビデオ信号を送信する（Ｓ２０３）。
【００５３】
そして、通信制御／ダイバーシティ制御部７とテレビ受信機２０ａとの間で、アンテナ信号及びアンテナ切替え要求信号を繰り返しやり取りすることにより、通信制御／ダイバーシティ制御部７では４本の各アンテナ２を用いたときのテレビ受信機２０ａより与えられるビデオ信号に基づき、最も受信感度の高いアンテナを選択する操作が行われる（Ｓ２０４）。これにより、テレビ受信機２０ａは、最も受信感度の高いアンテナで受信されたアンテナ信号を用いてテレビ画面を映すことができ、ノイズの少ないテレビ画像を見ることができる。
【００５４】
ここで、オフ状態となっていたテレビ受信機２０ｂがオン状態に切り替えられると、このテレビ受信機２０ｂがオン状態となったことを示す通信信号が制御部２３ｂより通信ラインに出力され、通信制御／ダイバーシティ制御部７ではこの通信信号を受信することによりテレビ受信機２０ｂがオン状態になったことを認識する（Ｓ２０５）。
【００５５】
そして、通信制御／ダイバーシティ制御部７は、合計２台のテレビ受信機２０ａ，２０ｂがオン状態であることを示す信号を利得可変アンプ４及び分配部５に出力し、利得可変アンプ４はアンテナ切替部８より出力されるアンテナ信号を２台のテレビ受信機２０ａ，２０ｂに供給できるレベルとなるように増幅率を決定して、アンテナ信号を増幅する。また、分配部５は、利得可変アンプ４より出力された増幅後のアンテナ信号を各テレビ受信機２０ａ，２０ｂに供給するように出力先を決定する。
【００５６】
そして、現在テレビ受信機２０ａで受信されるビデオ信号を用いてダイバーシティ制御を行っているので、通信制御／ダイバーシティ制御部７は、テレビ受信機２０ｂが受信感度検出用として使用するものでないことを示す信号を通信ラインを介してテレビ受信機２０ｂに出力する（Ｓ２０６）。更に、分配部５からアンテナ信号が出力されてテレビ受信機２０ｂのチューナ２１ｂに送信される（Ｓ２０７）。
【００５７】
これにより、テレビ受信機２０ｂのチューナ２１ｂにアンテナ信号が送信されるので、テレビ受信機２０ｂのディスプレイ２２ｂにテレビ画像を映し出すことができる。また、この際、各アンテナ２のうち、テレビ受信機２０ａのチューナ２１ａより出力されるビデオ信号に基づいた最も受信感度が高くなるアンテナが選択されているので、テレビ受信機２０ｂでは受信感度の高いテレビ画像を見ることができる。つまり、２つのテレビ受信機２０ａ，２０ｂは、共に最も受信感度の高いアンテナで受信されたアンテナ信号を用いてテレビ画像を映し出すことができる。
【００５８】
その後、２つのテレビ受信機２０ａ，２０ｂが共にオン状態とされているときに、オフ状態となっていたテレビ受信機２０ｃがオン状態に切り替えられると、このテレビ受信機２０ｃがオン状態となったことを示す通信信号が制御部２３ｃより通信ラインに出力さる。そして、通信制御／ダイバーシティ制御部７ではこの通信信号を受信することによりテレビ受信機２０ｃがオン状態になったことを認識する（Ｓ２０８）。
【００５９】
そして、通信制御／ダイバーシティ制御部７は、合計３台のテレビ受信機２０ａ〜２０ｃがオン状態であることを示す信号を利得可変アンプ４及び分配部５に出力し、利得可変アンプ４はアンテナ切替部８より出力されるアンテナ信号を３台のテレビ受信機２０ａ〜２０ｃに送信できるレベルとなるように増幅率を決定して、アンテナ信号を増幅する。また、分配部５は、利得可変アンプ４より出力された増幅後のアンテナ信号を各テレビ受信機２０ａ〜２０ｃに送信するように出力先を決定する。
【００６０】
そして、通信制御／ダイバーシティ制御部７は、通信ラインを介してテレビ受信機２０ｃが受信感度検出用として使用するものでないことを示す信号をテレビ受信機２０ｂに出力する（Ｓ２０９）。また、分配部５より出力されるアンテナ信号がテレビ受信機２０ｃのチューナ２１ｃに送信される（Ｓ２１０）。
【００６１】
これにより、テレビ受信機２０ｃのチューナ２１ｃにアンテナ信号が送信されるので、テレビ受信機２０ｃのディスプレイ２２ｃにテレビ画像を映し出すことができる。また、この際、各アンテナ２のうち、テレビ受信機２０ａのチューナ２１ａより出力されるビデオ信号に基づいた最も受信感度が高くなるアンテナが選択されているので、テレビ受信機２０ｃでは受信感度の高いテレビ画像を見ることができる。つまり、３台のテレビ受信機２０ａ〜２０ｃは、共に最も受信感度の高いアンテナで受信されたアンテナ信号を用いてテレビ画像を映し出すことができる。
【００６２】
その後、オン状態とされていたテレビ受信機２０ａがオフ状態に切り替えられると、オフ状態となったことを示す信号が制御部２３ａより出力され、通信ラインを介して通信制御／ダイバーシティ制御部７に送信される（Ｓ２１１）。
【００６３】
通信制御／ダイバーシティ制御部７は、テレビ受信機２０ａがオフ状態に切り替えられたことを認識すると、利得可変アンプ４及び分配部５に、現在オン状態であるテレビ受信機が２台であることを示す信号を出力する。そして、利得可変アンプ４はアンテナ信号の増幅率を２台分の増幅率に変更し、且つ分配部５はテレビ受信機２０ａへのアンテナ信号の送信を停止し、２つのテレビ受信機２０ｂ，２０ｃにアンテナ信号を送信するように切り替え操作を行う。
【００６４】
また、通信制御／ダイバーシティ制御部７は、受信感度検出用のテレビ受信機として、テレビ受信機２０ｂを選択し、通信ラインを介して受信感度検出用として設定されたことをテレビ受信機２０ｂの制御部２３ｂに出力する（Ｓ２１２）。
【００６５】
ここで、テレビ受信機２０ａがオフ状態とされた後の、受信感度検出用受信機の選択方法は種々選択するすることができ、この実施形態ではより早くオンとされたテレビ受信機２０ｂを受信感度検出用受信機として選択している。
【００６６】
その後、通信制御／ダイバーシティ制御部７とテレビ受信機２０ｂとの間で、アンテナ信号及びアンテナ切替え要求信号を繰り返しやり取りすることにより、通信制御／ダイバーシティ制御部７では各アンテナ２を用いたときのテレビ受信機２０ｂより与えられるビデオ信号に基づき、最も受信感度の高いアンテナを選択する操作が行われる（Ｓ２１３）。これにより、テレビ受信機２０ｂでは、最も受信感度の高いアンテナで受信されたアンテナ信号を用いてテレビ画面を映すことができ、ノイズの少ないテレビ画像を見ることができる。
【００６７】
そして、選択されたアンテナで受信されたアンテナ信号を、テレビ受信機２０ｃに出力する（Ｓ２１４）。これにより、テレビ受信機２０ｃのチューナ２１ｃにアンテナ信号が送信される。この際、各アンテナ２のうち、テレビ受信機２０ｂのチューナ２１ｂより出力されるビデオ信号に基づいた最も受信感度が高くなるアンテナが選択されているので、テレビ受信機２０ｃでは受信感度の高いテレビ画像を見ることができる。
【００６８】
このようにして、第１の実施形態に係る車両用テレビの受信システム１では、オン状態とされているテレビ受信機のうちの一つを受信感度検出用として設定し、この受信感度検出用のテレビ受信機を利用して受信感度の最も高いアンテナを選択し、このアンテナのアンテナ信号を各テレビ受信機に分配する。従って、全てのテレビ受信機が、最も受信感度の高いアンテナからのアンテナ信号を受信することができるようになる。
【００６９】
更に、テレビ受信機を増設する場合でも、テレビ受信機を接続するための最低限のケーブルで対応でき、切替スイッチなどを増やすことなく簡単で、しかも安価にテレビ受信機を増設することができる。また、テレビ受信機を何台でも増設することが可能である。
【００７０】
また、単純に全てのアンテナをそれぞれ各テレビ受信機に接続してダイバーシティ受信を行った場合と比較すると、ケーブル数を大幅に減らすことができる。
【００７１】
更に、受信状態にあるテレビ受信機の台数に基づいて利得可変アンプ４の増幅率を変化させるので、アンテナ信号を分配するのに必要となる信号レベルを効率的に得ることができる。また、全てのテレビ受信機がオンであることを想定した増幅率に常時設定する場合と比較して消費電力を低減させることもできる。
【００７２】
また、受信感度検出用のテレビ受信機がオフされたときには、別の受信状態にあるテレビ受信機を感度検出用のテレビ受信機として設定するので、感度検出用のテレビ受信機がオフされた場合でも、継続してダイバーシティ機能を動作させることができる。
【００７３】
更に、受信感度検出用のテレビ受信機として設定されていないテレビ受信機からのビデオ信号の送信を停止させるので、テレビ受信機の消費電力を低減させることができる。
【００７４】
＜第２の実施形態＞
次に、本発明の第２の実施形態を図面に基づいて説明する。図３は本発明に係る車両用テレビの受信システムの構成を示すブロック図である。
【００７５】
図３に示すように、本実施形態の車両用テレビの受信システム６１は、車両用テレビの受信状態を制御する受信制御装置４１と、複数のテレビ受信機７０ａ〜７０ｄと、４つのアンテナ２から構成されている。
【００７６】
そして、受信制御装置４１は、図１に示した第１の実施形態と比較して、通信制御／ダイバーシティ制御部７の代わりに、通信制御部６２を備えた点、及び各テレビ受信機７０ａ〜７０ｄが、通信制御／ダイバーシティ制御部７３ａ〜７３ｄを備えている点、及び通信制御部６２と各通信制御／ダイバーシティ制御部７３ａ〜７３ｄが通信ラインで接続され、テレビ受信機７０ａ〜７０ｃからビデオ信号が送信されない点で相違している。
【００７７】
つまり、各テレビ受信機７０ａ〜７０ｄは、アンテナ信号を復調するとともに、ビデオ信号の出力を行うチューナ７１ａ〜７１ｄと、チューナ７１ａ〜７１ｄで復調されたビデオ信号を基にテレビ画像を表示するディスプレイ７２ａ〜７２ｄと、通信制御／ダイバーシティ制御部７３ａ〜７３ｄを備えている。
【００７８】
通信制御／ダイバーシティ制御部７３ａ〜７３ｄは、受信制御装置４１との間の通信機能を備えており、チューナ７１ａ〜７１ｄより出力されるビデオ信号を入力し、該ビデオ信号の電界強度を判定し、どのアンテナ２で受信されたアンテナ信号が最も電界強度が強いかを判定する。更に、アンテナ切替用の信号を通信制御部６２に出力する。
【００７９】
また、通信制御６２は、各テレビ受信機７０ａ〜７０ｄの動作状態を示す信号を受信し、受信感度検出用のテレビ受信機を選定し、且つ、各テレビ受信機７０ａ〜７０ｄへ、どのテレビ受信機７０ａ〜７０ｄが受信感度検出用として設定されたかを示す信号を送信する。更に、テレビ受信機７０ａ〜７０ｄの動作台数（オン、オフ状態）と連動して、利得可変アンプ４に利得制御信号を出力し、且つ、分配機５に分配制御信号を出力する。
【００８０】
次に、第２の実施形態に係る車両用テレビの受信システム６１の動作を図４に示すシーケンス図を参照して説明する。
【００８１】
まず、テレビ受信機７０ａがオフ状態からオン状態（受信状態）にされると、通信制御／ダイバーシティ制御部７３ａよりウエイクアップ用の通信信号が出力され、この通信信号は通信ラインを介して通信制御部６２に送信される（Ｓ４０１）。
【００８２】
そして、この通信信号を受けてスリープ状態とされていた受信制御装置４１は通信制御を開始し、通信制御部６２は通信ラインを介してテレビ受信機７０ａの通信制御／ダイバーシティ制御部７３ａに、テレビ受信機７０ａを受信感度検出用のテレビ受信機として用いることを示す信号を送信する（Ｓ４０２）。
【００８３】
その後、通信制御部６２は、現在オン状態であるテレビ受信機が１台であることを示す信号を利得可変アンプ４、及び分配部５に出力し、利得可変アンプ４ではアンテナ切替部８より出力されるアンテナ信号を、テレビ受信機１台分のレベルとなるように増幅する。また、分配部５は、利得可変アンプ４で増幅されたアンテナ信号の送信先をテレビ受信機７３ａに設定する。
【００８４】
その後、分配部５よりテレビ受信機７３ａにアンテナ信号が送信され、このアンテナ信号はチューナ７１ａで復調されて、テレビ画像がディスプレイ７２ａに表示される。
【００８５】
また、通信制御／ダイバーシティ制御部７３ａは、通信ラインを介して通信制御部６２にアンテナ切り替え要求信号を出力し、通信制御／ダイバーシティ制御部７３ａと通信制御部６２との間でアンテナ切り替え要求信号とアンテナ信号が繰り返しやり取りされて、４つのアンテナ２のうち最も受信感度が高くなるアンテナを選択する処理が行われる（Ｓ４０３）。これにより、テレビ受信機７０ａは、最も受信感度が高いアンテナ２で受信されたアンテナ信号を用いてテレビ画像を映すことができる。
【００８６】
ここで、テレビ受信機７０ｂがオフ状態からオン状態に切り替えられると、テレビ受信機７０ｂがオン状態となったことを示す信号が、通信制御／ダイバーシティ制御部７３ｂより出力され、通信ラインを介して受信制御装置４１の通信制御部６２に送信される（Ｓ４０４）。
【００８７】
これを受けて、通信制御部６２は通信ラインを介して、テレビ受信機７０ｂが受信感度検出用のテレビ受信機でないことを示す信号を通信制御／ダイバーシティ制御部７３ｂに送信する（Ｓ４０５）。
【００８８】
また、通信制御部６２は、利得可変アンプ４及び分配部５に現在動作中のテレビ受信機が２台であることを示す信号を出力するので、利得可変アンプ４は、アンテナ切替部８より出力されるアンテナ信号を２台のテレビ受信機に出力することができるレベルまで増幅する。そして、分配部５は、利得可変アンプ４で増幅されたアンテナ信号を、２台のテレビ受信機７０ａ，７０ｂに送信する。即ち、受信制御装置４１よりテレビ受信機７０ｂにアンテナ信号が出力される（Ｓ４０６）。これにより、テレビ受信機７０ａ，７０ｂは、共に最も受信感度が高いアンテナ２で受信されたアンテナ信号を用いてテレビ画像を映すことができる。
【００８９】
その後、テレビ受信機７０ｃがオフ状態からオン状態に切り替えられると、テレビ受信機７０ｃがオン状態となったことを示す信号が、通信制御／ダイバーシティ制御部７３ｃより出力され、通信ラインを介して受信制御装置４１の通信制御部６２に送信される（Ｓ４０７）。
【００９０】
これを受けて、通信制御部６２は通信ラインを介して、テレビ受信機７０ｃが受信感度検出用のテレビ受信機でないことを示す信号を通信制御／ダイバーシティ制御部７３ｃに送信する（Ｓ４０８）。
【００９１】
また、通信制御部６２は、利得可変アンプ４及び分配部５に現在動作中のテレビ受信機が３台であることを示す信号を出力し、利得可変アンプ４はアンテナ切替部８より出力されるアンテナ信号を３台のテレビ受信機に出力することができるレベルに増幅する。そして、分配部５は、利得可変アンプ４で増幅されたアンテナ信号を、３台のテレビ受信機７０ａ〜７０ｃに送信する。即ち、受信制御装置４１よりテレビ受信機７０ｃにアンテナ信号が出力される（Ｓ４０９）。こうして、３台のテレビ受信機７０ａ〜７０ｃは、共に最も受信感度の高いアンテナで受信された受信信号を用いてテレビ画像を映すことができる。
【００９２】
このように、２台のテレビ受信機７０ａ，７０ｂ、或いは３台のテレビ受信器７０ａ〜７０ｃがオン状態とされているときには、テレビ受信機７０ａの通信制御／ダイバーシティ制御部７３ａによるダイバーシティ制御により４つのアンテナのうち最も受信感度の高いアンテナが選択されてアンテナ信号を得ることができ、且つこのアンテナ信号が各テレビ受信機７０ａ，７０ｂ、或いは７０ａ〜７０ｃに送信されるので、全てのテレビ受信機は最も受信感度の高いアンテナで受信されたアンテナ信号を用いてテレビ画像を映し出すことができ、ノイズの少ない鮮明な画像を表示することができる。
【００９３】
その後、テレビ受信機７０ａがオン状態からオフ状態に切り替えられると、通信制御／ダイバーシティ制御部７３ａより、テレビ受信機７０ａがオフ状態となったことを示す信号が通信ラインに出力され、この信号が通信制御部６２に送信される（Ｓ４１０）。
【００９４】
通信制御部６２は、テレビ受信機７０ａがオフ状態に切り替えられたことを認識すると、利得可変アンプ４及び分配部５に、現在オン状態であるテレビ受信機が２台であることを示す信号を出力する。そして、利得可変アンプ４はアンテナ信号の増幅率を２台分の増幅率に変更し、且つ分配部５はテレビ受信機７０ａへのアンテナ信号の送信を停止し、２つのテレビ受信機７０ｂ，７０ｃにアンテナ信号を送信するように切り替え操作を行う。
【００９５】
また、通信制御部６２は、受信感度検出用のテレビ受信機として、テレビ受信機７０ｂを選択し、通信ラインを介して受信感度検出用として設定したことを示す信号をテレビ受信機７０ｂの通信制御／ダイバーシティ制御部７３ｂに出力する（Ｓ４１１）。
【００９６】
ここで、前述した第１の実施形態と同様に、テレビ受信機７０ａがオフ状態とされた後の、受信感度検出用受信機の選択方法は種々選択するすることができ、この実施形態ではより早くオンとされたテレビ受信機７０ｂを受信感度検出用受信機として選択している。
【００９７】
その後、通信制御部６２とテレビ受信機７０ｂとの間で、アンテナ信号及びアンテナ切替え要求信号を繰り返しやり取りすることにより、通信制御部６２では各アンテナ２を用いたときのテレビ受信機７０ｂより与えられるビデオ信号に基づき、最も受信感度の高いアンテナを選択する操作が行われる（Ｓ４１２）。これにより、テレビ受信機７０ｂでは、最も受信感度の高いアンテナで受信されたアンテナ信号を用いてテレビ画面を映すことができ、ノイズの少ないテレビ画像を見ることができる。
【００９８】
そして、選択されたアンテナで受信されたアンテナ信号を、テレビ受信機７０ｃに出力する（Ｓ４１３）。これにより、テレビ受信機７０ｃのチューナ７１ｃにアンテナ信号が送信されるので、テレビ受信機７０ｃのディスプレイ７２ｃにテレビ画像を映し出すことができる。また、この際、各アンテナ２のうち、テレビ受信機７０ｂのチューナ７１ｂより出力されるビデオ信号に基づいた最も受信感度が高くなるアンテナが選択されているので、テレビ受信機７０ｃでは受信感度の高いテレビ画像を見ることができる。
【００９９】
このようにして、第２の実施形態に係る車両用テレビの受信システム６１では、オン状態とされているテレビ受信機のうちの一つを受信感度検出用として設定し、この受信感度検出用のテレビ受信機を利用して受信感度の最も高いアンテナを選択し、このアンテナのアンテナ信号を各テレビ受信機に分配する。従って、全てのテレビ受信機が、最も受信感度の高いアンテナからのアンテナ信号を受信することができるようになる。
【０１００】
更に、テレビ受信機を増設する場合でも、テレビ受信機を接続するための最低限のケーブルで対応でき、切替スイッチなどを増やすことなく簡単で、しかも安価にテレビ受信機を増設することができる。また、テレビ受信機を何台でも増設することが可能である。
【０１０１】
また、単純に全てのアンテナをそれぞれ各テレビ受信機に接続してダイバーシティ受信を行った場合と比較すると、ケーブル数を大幅に減らすことができる。
【０１０２】
更に、受信状態にあるテレビ受信機の台数に基づいて利得可変アンプ４の増幅率を変化させるので、アンテナ信号を分配するのに必要となる信号レベルを効率的に得ることができる。また、全てのテレビ受信機がオンであることを想定した増幅率に常時設定する場合と比較して消費電力を低減させることもできる。
【０１０３】
また、受信感度検出用のテレビ受信機がオフされたときには、別の受信状態にあるテレビ受信機を感度検出用のテレビ受信機として設定するので、感度検出用のテレビ受信機がオフされた場合でも、継続してダイバーシティ機能を動作させることができる。
【０１０４】
更に、受信感度検出用のテレビ受信機として設定されていないテレビ受信機による信号の送信を停止させるので、テレビ受信機の消費電力を低減させることができる。
【０１０５】
また、前述した第１の実施形態と対比した場合、受信制御装置４１と各テレビ受信機７０ａ〜７０ｄとの間の連結がアンテナ信号線と通信ラインのみとなるので、ケーブル本数の削減を図ることができる。また、テレビ受信機を増設する場合に、ケーブル本数が少ないので増設を容易に行うことができる。また、受信制御装置４１のハーネスの配索を簡素化することができる。
【０１０６】
更に、通信ラインを設けて受信制御装置４１と各テレビ受信機７０ａ〜７０ｄとの間の通信を行うようにしているので、該通信ラインを用いたシステムの拡張、例えば、テレビ受信機間での通信やその他の情報を伝送するラインとしての有効活用を図ることができる。
【０１０７】
以上、本発明の車両用テレビの受信システムについて、図示した実施形態に基づいて説明したが、本発明はこれに限定されるものではなく、各部の構成は同様の機能を有する任意の構成のものに置き換えることができる。
【０１０８】
例えば、上述した実施形態では、４本のアンテナによるダイバーシティ受信の場合を例にして説明したが、その他のアンテナ本数によるダイバーシティ受信を行うようにしてもよい。
【０１０９】
また、上述した実施形態では、受信状態となった順番に応じて受信感度検出の権限を与えるようにしたが、本発明はこれに限定されるものではなく、テレビの取り付け位置に応じて権限の優先順位を決めても良い。また、ハイヤー等の車両であれば、社長等地位のある乗客が乗る後部座席に優先して権限を与えても良い。更に、乗員が任意に設定できるようにしても良い。
【産業上の利用可能性】
【０１１０】
複数のアンテナで受信したアンテナ信号の中から受信感度の最も高いものを選択して複数台のテレビ受信機に出力するための技術として極めて有用である。
【図面の簡単な説明】
【０１１１】
【図１】本発明の第１の実施形態に係る車両用テレビの受信システムの構成を示すブロック図である。
【図２】本発明の第１の実施形態に係る車両用テレビの受信システムによる受信制御処理を説明するためのシーケンス図である。
【図３】本発明の第２の実施形態に係る車両用テレビの受信システムの構成を示すブロック図である。
【図４】本発明の第２の実施形態に係る車両用テレビの受信システムによる受信制御処理を説明するためのシーケンス図である。
【図５】従来のダイバーシティ受信方式を利用した車両用のテレビ受信システムの構成を示すブロック図である。
【図６】従来のダイバーシティ受信方式を利用した車両用のテレビ受信システムの構成を示すブロック図である。
【符号の説明】
【０１１２】
１、６１  車両用テレビの受信システム
２  アンテナ
４  利得可変アンプ（増幅手段）
５  分配部（分配手段）
７  通信制御／ダイバーシティ制御部（ダイバーシティ制御手段）
８  アンテナ切替部（アンテナ切替手段）
１０、４１  受信制御装置
２０ａ〜２０ｄ、７０ａ〜７０ｄ  テレビ受信機
２１ａ〜２１ｄ、７１ａ〜７１ｄ  チューナ
２２ａ〜２２ｄ、７２ａ〜７２ｄ  ディスプレイ
２３ａ〜２３ｄ  制御部（ビデオ出力制御手段）
６２  通信制御部
７３ａ〜７３ｄ  通信制御／ダイバーシティ制御部
１００、１１０  テレビ受信システム
１０１ａ〜１０１ｄ  アンテナ
１０２  ＲＦ増幅器
１０３  テレビ受信機
１０４  ダイバーシティ切替部
１０５  アンプ
１０６  テレビチューナ
１０７  ディスプレイ
１０８  ダイバーシティ制御部
１１１  ダイバーシティ回路
【図１】
2006140714.tif 000003
【図２】
2006140714.tif 000004
【図３】
2006140714.tif 000005
【図４】
2006140714.tif 000006
【図５】
2006140714.tif 000007
【図６】
2006140714.tif 000008